(57)【要約】【課題】  児童や生徒などが飛び出しを行わないように、児童や生徒などに対して警告を行う飛び出し警告システムを提供することを目的とする。【解決手段】  携帯端末は、振動検出部で検出した振動の情報を記録する振動記録部と、振動記録部に記録した振動の情報に基づいてテンションを判定するテンション判定部と、テンションが所定の条件を満たした場合に、位置情報検出部で検出した携帯端末の位置情報を警告通知サーバに渡す情報送信部と、を有しており、警告通知サーバは、地図情報を記録する地図情報記憶部と、携帯端末から位置情報を受け取る情報受取部と、位置情報と地図情報とに基づいて、位置情報が、予め定められた警告対象場所に位置するかを判定する位置判定部と、判定の結果、警告対象場所に携帯端末の位置情報が位置している場合には、携帯端末に対して警告通知を行う警告通知部と、を有する飛び出し警告システムである。【選択図】  図１
2008059068.tif 000002
【特許請求の範囲】
【請求項１】
振動検出部と位置情報検出部とを備えた携帯端末と、前記携帯端末から受け取った情報に基づいて、前記携帯端末に対して警告通知を行う警告通知サーバとを有する飛び出し警告システムであって、
前記携帯端末は、
前記振動検出部で検出した振動の情報を記録する振動記録部と、
前記振動記録部に記録した所定時間分の振動の情報を抽出し、その振動の情報に基づいて指標値を算出し、所定の条件と比較するテンション判定部と、
前記算出した指標値が前記所定の条件を満たした場合に、前記位置情報検出部で検出した前記携帯端末の位置情報を前記警告通知サーバに渡す情報送信部と、を有しており、
前記警告通知サーバは、
前記携帯端末から前記位置情報を受け取る情報受取部と、
前記位置情報が、予め定められた警告対象場所に位置するかを判定する位置判定部と、
前記判定の結果、警告対象場所に前記携帯端末の位置情報が位置している場合には、前記携帯端末に対して警告通知を行う警告通知部と、
を有することを特徴とする飛び出し警告システム。
【請求項２】
前記情報送信部は、
前記携帯端末の位置情報とあわせて、前記携帯端末またはそれを所持する対象者を識別する識別情報を前記警告通知サーバに渡し、
前記警告通知サーバは、更に、
前記識別情報と対応づけて前記携帯端末の電話番号または電子メールアドレスのいずれかを含む連絡先を記録する個人情報記憶部を有しており、
前記警告通知部は、
前記警告通知を行う際に、前記情報受取部で受け取った識別情報に基づいて前記個人情報記憶部から連絡先を抽出し、前記連絡先に対して警告通知を行う、
ことを特徴とする請求項１に記載の飛び出し警告システム。
【請求項３】
前記警告通知として、前記携帯端末に対して架電を行う、または電子メールを送信する、ことのいずれかを含む、
ことを特徴とする請求項１または請求項２に記載の飛び出し警告システム。
【請求項４】
振動検出部と位置情報検出部とを備えた携帯端末と、前記携帯端末から受け取った情報に基づいて、前記携帯端末に対して警告通知を行う警告通知サーバとを有する飛び出し警告システムであって、
前記携帯端末は、
前記振動検出部で検出した振動の情報を記録する振動記録部と、
前記振動記録部に記録した所定時間分の振動の情報を抽出し、その振動の情報に基づいて指標値またはテンションのパターンを算出し、所定の条件と比較するテンション判定部と、
前記指標値またはテンションのパターンが前記所定の条件を満たした場合に、前記位置情報検出部で検出した前記携帯端末の位置情報と、前記指標値またはテンションのパターンとを前記警告通知サーバに渡す情報送信部と、
前記警告通知サーバからの指示に対応した動作を前記携帯端末で行う警告情報受取部と、を有しており、
前記警告通知サーバは、
前記携帯端末から前記位置情報と、前記指標値またはテンションのパターンとを受け取る情報受取部と、
前記位置情報が、予め定められた警告対象場所に位置するかを判定する位置判定部と、
前記判定の結果、警告対象場所に前記携帯端末の位置情報が位置している場合には、前記指標値または対象者のテンションのパターンに対応する動作を携帯端末で行わせる為の指示を決定して、前記携帯端末に対して、その指示を送信する警告情報送信部と、
を有することを特徴とする飛び出し警告システム。
【請求項５】
前記情報送信部は、
前記携帯端末の位置情報とあわせて、前記携帯端末またはそれを所持する対象者を識別する識別情報を前記警告通知サーバに渡し、
前記警告通知サーバは、更に、
前記識別情報と対応づけて前記携帯端末の電話番号または電子メールアドレスのいずれかを含む連絡先を記録する個人情報記憶部を有しており、
前記警告情報送信部は、
前記警告通知を行う際に、前記情報受取部で受け取った識別情報に基づいて前記個人情報記憶部から連絡先を抽出し、前記連絡先に対して警告通知を行う、
ことを特徴とする請求項４に記載の飛び出し警告システム。
【請求項６】
振動検出部と位置情報検出部とを備えた携帯端末と、前記携帯端末から受け取った情報に基づいて、前記携帯端末に対して警告通知を行う警告通知サーバとを有する飛び出し警告システムであって、
前記携帯端末は、
前記振動検出部で検出した振動の情報を記録する振動記録部と、
前記振動記録部に記録した所定時間分の振動の情報を抽出し、その振動の情報に基づいて所定の指標値を算出し、所定の条件と比較するテンション判定部と、
前記算出した指標値が前記所定の条件を満たした場合に、前記位置情報検出部で検出した前記携帯端末の位置情報と、前記携帯端末またはその所持者である対象者を識別する識別情報とを前記警告通知サーバに渡す情報送信部と、を有しており、
前記警告通知サーバは、
前記識別情報と対応づけて前記携帯端末の電話番号または電子メールアドレスのいずれかを含む連絡先を記録する個人情報記憶部と、
前記携帯端末から前記位置情報と前記識別情報とを受け取る情報受取部と、
前記位置情報が、予め定められた警告対象場所に位置するかを判定する位置判定部と、
前記判定の結果、警告対象場所に前記携帯端末の位置情報が位置している場合には、前記受け取った識別情報に基づいて前記個人情報記憶部から前記対象者の連絡先を抽出し、前記抽出した連絡先を有する前記携帯端末に対して、架電または電子メールの送信により、警告通知を行う警告通知部と、
を有することを特徴とする飛び出し警告システム。
【請求項７】
振動検出部と位置情報検出部とを備えた携帯端末と、前記携帯端末から受け取った情報に基づいて、前記携帯端末に対して警告通知を行う警告通知サーバとを有する飛び出し警告システムであって、
前記携帯端末は、
前記振動検出部で検出した振動の情報を記録する振動記録部と、
前記振動記録部に記録した所定時間分の振動の情報を抽出し、その振動の情報に基づいて指標値またはテンションのパターンを算出し、所定の条件と比較するテンション判定部と、
前記指標値またはテンションのパターンが所定の条件を満たした場合に、前記位置情報検出部で検出した前記携帯端末の位置情報と、前記指標値またはテンションのパターンと、前記携帯端末またはそれを所持する対象者を識別する識別情報とを前記警告通知サーバに渡す情報送信部と、
前記警告通知サーバからの指示に対応した動作を前記携帯端末で行う警告情報受取部と、を有しており、
前記警告通知サーバは、
前記携帯端末から前記位置情報と、前記指標値またはテンションのパターンと、前記識別情報とを受け取る情報受取部と、
前記位置情報が、予め定められた警告対象場所に位置するかを判定する位置判定部と、
前記判定の結果、警告対象場所に前記携帯端末の位置情報が位置している場合には、前記指標値または対象者のテンションのパターンに対応する動作を携帯端末で行わせる為の指示を決定して、前記携帯端末に対して、その指示を送信する警告情報送信部と、
を有することを特徴とする飛び出し警告システム。
【請求項８】
前記テンション判定部は、
前記振動の情報として所定時間分の振動の回数、または振幅の情報を抽出し、その振動回数または振幅を用いて指標値を算出する、
ことを特徴とする請求項１から請求項７のいずれかに記載の飛び出し警告システム。
【請求項９】
前記テンション判定部は、
前記振動回数または振幅の平均値、分散、標準偏差のいずれか一以上により指標値を算出する、
ことを特徴とする請求項８に記載の飛び出し警告システム。
【請求項１０】
前記警告通知サーバは、更に、
車両に設置されたＧＰＳなどで検出された車両の位置情報を取得する車両位置情報受取部を有しており、
前記警告通知部は、更に、
前記取得した車両の位置情報が、前記携帯端末の位置情報から所定範囲内に位置している場合に、前記携帯端末に対して警告通知を行う、
ことを特徴とする請求項１から請求項９のいずれかに記載の飛び出し警告システム。
【請求項１１】
携帯端末の位置情報が予め定められた警告対象場所に含まれている場合に前記携帯端末に対して警告通知を行う警告通知サーバと、情報の送受信が可能な携帯端末であって、
前記携帯端末は、
振動を検出する振動検出部と、
前記検出した振動の情報を記録する振動記録部と、
前記振動記録部に記録した振動に基づいて、
前記振動記録部に記録した所定時間分の振動の情報を抽出し、その振動の情報に基づいて指標値を算出し、所定の条件と比較するテンション判定部と、
前記算出した指標値が前記所定の条件を満たした場合に、前記位置情報検出部で検出した前記携帯端末の位置情報を前記警告通知サーバに渡す情報送信部と、を有しており、
前記警告通知サーバからの警告通知を受け取ることによって、前記携帯端末の音を鳴らす、またはバイブレーションの振動を発生させることにより、前記対象者に対して危険性を再認識させる、
ことを特徴とする携帯端末。
【請求項１２】
携帯端末から位置情報を受け取ることでその携帯端末に対して警告通知を行う警告通知サーバであって、
前記警告通知サーバは、
前記携帯端末またはそれを所持する対象者の識別情報と対応づけて前記携帯端末の電話番号または電子メールアドレスのいずれかを含む連絡先を記録する個人情報記憶部と、
前記携帯端末から前記位置情報と前記識別情報とを受け取る情報受取部と、
前記位置情報が、予め定められた警告対象場所に位置するかを判定する位置判定部と、
前記判定の結果、警告対象場所に前記携帯端末の位置情報が位置している場合には、前記受け取った識別情報に基づいて前記個人情報記憶部から前記対象者の連絡先を抽出し、前記抽出した連絡先を有する前記携帯端末に対して、架電または電子メールの送信により、警告通知を行う警告通知部と、
を有することを特徴とする警告通知サーバ。
【請求項１３】
携帯端末の位置情報が予め定められた警告対象場所に含まれている場合に前記携帯端末に対して警告通知を行う警告通知サーバと、情報の送受信が可能な携帯端末であって、
前記携帯端末は、
振動を検出する振動検出部と、
前記検出した振動の情報を記録する振動記録部と、
前記振動記録部に記録した所定時間分の振動の情報を抽出し、その振動の情報に基づいて指標値またはテンションのパターンを算出し、所定の条件と比較するテンション判定部と、
前記指標値またはテンションのパターンが前記所定の条件を満たした場合に、前記位置情報検出部で検出した前記携帯端末の位置情報と、前記指標値またはテンションのパターンとを前記警告通知サーバに渡す情報送信部と、
前記警告通知サーバからの指示に適した動作を行う警告情報受取部と、を有しており、
前記警告通知サーバからの警告通知を受け取ることによって、前記携帯端末で、前記警告通知に応じた音を鳴らす、またはバイブレーションの振動を発生させることで、前記対象者に対して危険性を再認識させる、
ことを特徴とする携帯端末。
【請求項１４】
振動記録部を備えた携帯端末において振動に基づいて算出された指標値または対象者のテンションのパターンと、位置情報とを、前記携帯端末から受け取ることでその携帯端末に対して警告通知を行う警告通知サーバであって、
前記警告通知サーバは、
前記携帯端末から前記位置情報と、前記指標値またはテンションのパターンと、前記携帯端末または対象者を識別する識別情報とを受け取る情報受取部と、
前記位置情報が、予め定められた警告対象場所に位置するかを判定する位置判定部と、
前記判定の結果、警告対象場所に前記携帯端末の位置情報が位置している場合には、前記指標値または対象者のテンションのパターンに対応する動作を携帯端末で行わせる為の指示を決定して、前記携帯端末に対して、その指示を送信する警告情報送信部と、
を有することを特徴とする警告通知サーバ。
【請求項１５】
振動検出部と位置情報検出部とを有する携帯端末であって、
前記振動記録部で検出した振動の情報を記録する振動記録部と、
前記振動記録部に記録した所定時間分の振動の情報を抽出し、その振動の情報に基づいて指標値を算出し、所定の条件と比較するテンション判定部と、
前記算出した指標値が前記所定の条件を満たした場合に、前記位置情報検出部で検出した位置情報が、前記携帯端末で予め記憶している警告対象場所に位置するかを判定する位置判定部と、
前記判定の結果、警告対象場所に位置する場合には、前記携帯端末において音を発生させる、バイブレーションの振動を発生させる、表示装置を点滅させる、のうちいずれか一以上を行う、
ことを特徴とする携帯端末。
【発明の詳細な説明】
【技術分野】
【０００１】
本発明は、児童や生徒などが道路や交差点に急な飛び出しを行わないように、児童や生徒などに対して警告を行う飛び出し警告システムに関する。
【背景技術】
【０００２】
車両と歩行者との間の交通事故の多くは道路、ことに交差点で発生している。その為、運転者は交差点の近くでは気を遣って運転していることが多い。特に交差点の状況が確認しにくい、などの理由から事故が多発する場所では一層の注意を払っている。
【０００３】
しかし運転手の全てがその交差点で事故が多発しているか、ということを知っているわけではないし、また、常に充分の気を遣って運転しているわけではない。そこで、下記特許文献１や特許文献２に記載のように、カーナビゲーション装置などで交通事故の多発している交差点やスクールゾーンに近づいた場合に、その旨を運転者に通知する発明がある。
【０００４】
【特許文献１】特開２００６−９２２５８号公報
【特許文献２】特開２００２−２５０６３２号公報
【発明の開示】
【発明が解決しようとする課題】
【０００５】
上述の発明は、スクールゾーンや危険度の高い交差点に関する情報を予めカーナビゲーション装置に記憶しておき、そこに車両が接近した場合に、運転者に対して通知をしている。運転者に対して危険性を通知することによって事故の発生を防げる、といった面からすると有益である。
【０００６】
しかし交通事故は、運転者がどれだけ注意をしていても、歩行者の急な飛び出しなどによって防げない場合も多い。つまり車両の運転者のみならず、歩行者も交差点などでは十分に注意をしなければならない。
【０００７】
ところが児童や生徒などは突発的な行動を取ることが多く、例えば、遊びながら帰宅していたりすると、交差点や道路へ急な飛び出しを行う場合もある。児童や生徒でも通常時ならば交差点や道路への急な飛び出しは危ない、という認識があるのでそのような行動は取らないが、遊んでいたりしてテンションがあがっていたりすると、そのような認識が低下して上述のような急な飛び出しを行ってしまうこともある。
【０００８】
上述のような危険性を再認識させるためには、児童や生徒に対して、外部から何らかの警告通知が行われることが好ましい。しかし、例えば、学校の校庭や公園で遊んでいる場合には原則として、車両などは走行していないため、飛び出しによる交通事故の危険性はなく、そのような場合にまで警告通知が行われるのはかえって煩わしく感じてしまい、警告通知の重要性を低下させかねない。そこで必要な場合に必要な警告通知が児童や生徒に行われるシステムが望まれている。
【課題を解決するための手段】
【０００９】
そこで本願発明者は上述の知見に基づき、児童や生徒など（以下、これを「対象者」という）のテンションを検出し、それが所定の条件を満たした場合、危険性を促すための警告通知を対象者に対して行う、対象者に対しての飛び出し警告システムを発明した。
【００１０】
請求項１の発明は、振動検出部と位置情報検出部とを備えた携帯端末と、前記携帯端末から受け取った情報に基づいて、前記携帯端末に対して警告通知を行う警告通知サーバとを有する飛び出し警告システムであって、前記携帯端末は、前記振動検出部で検出した振動の情報を記録する振動記録部と、前記振動記録部に記録した所定時間分の振動の情報を抽出し、その振動の情報に基づいて指標値を算出し、所定の条件と比較するテンション判定部と、前記算出した指標値が前記所定の条件を満たした場合に、前記位置情報検出部で検出した前記携帯端末の位置情報を前記警告通知サーバに渡す情報送信部と、を有しており、前記警告通知サーバは、前記携帯端末から前記位置情報を受け取る情報受取部と、前記位置情報が、予め定められた警告対象場所に位置するかを判定する位置判定部と、前記判定の結果、警告対象場所に前記携帯端末の位置情報が位置している場合には、前記携帯端末に対して警告通知を行う警告通知部と、を有する飛び出し警告システムである。
【００１１】
本発明のように構成することによって、対象者のテンションが高い場合に、対象者に対して警告を行うことが出来る。また単にテンションを判定して警告を行うのでは、例えば運動場などの安全な場所で遊んでいる場合にも警告が行われてしまい、かえって煩わしくなる。そこで、テンションが高いと判定した場合に、携帯端末の位置情報を参照することによって、交差点の付近や幹線道路などの予め指定された警告対象場所に位置するか否かを参照し、警告対象場所に位置する場合に初めて警告を行うようなシステム構成とした。これによって必要な場合に的確に警告を行うことが出来る。
【００１２】
請求項２の発明において、前記情報送信部は、前記携帯端末の位置情報とあわせて、前記携帯端末またはそれを所持する対象者を識別する識別情報を前記警告通知サーバに渡し、前記警告通知サーバは、更に、前記識別情報と対応づけて前記携帯端末の電話番号または電子メールアドレスのいずれかを含む連絡先を記録する個人情報記憶部を有しており、前記警告通知部は、前記警告通知を行う際に、前記情報受取部で受け取った識別情報に基づいて前記個人情報記憶部から連絡先を抽出し、前記連絡先に対して警告通知を行う、飛び出し警告システムである。
【００１３】
請求項３の発明において、前記警告通知として、前記携帯端末に対して架電を行う、または電子メールを送信する、飛び出し警告システムである。
【００１４】
これらの発明のように構成することによって、電話、電子メールなど各対象者が予め登録した方法で警告通知を行うことが出来る。
【００１５】
請求項４の発明は、振動検出部と位置情報検出部とを備えた携帯端末と、前記携帯端末から受け取った情報に基づいて、前記携帯端末に対して警告通知を行う警告通知サーバとを有する飛び出し警告システムであって、前記携帯端末は、前記振動検出部で検出した振動の情報を記録する振動記録部と、前記振動記録部に記録した所定時間分の振動の情報を抽出し、その振動の情報に基づいて指標値またはテンションのパターンを算出し、所定の条件と比較するテンション判定部と、前記指標値またはテンションのパターンが前記所定の条件を満たした場合に、前記位置情報検出部で検出した前記携帯端末の位置情報と、前記指標値またはテンションのパターンとを前記警告通知サーバに渡す情報送信部と、前記警告通知サーバからの指示に対応した動作を前記携帯端末で行う警告情報受取部と、を有しており、前記警告通知サーバは、前記携帯端末から前記位置情報と、前記指標値またはテンションのパターンとを受け取る情報受取部と、前記位置情報が、予め定められた警告対象場所に位置するかを判定する位置判定部と、前記判定の結果、警告対象場所に前記携帯端末の位置情報が位置している場合には、前記指標値または対象者のテンションのパターンに対応する動作を携帯端末で行わせる為の指示を決定して、前記携帯端末に対して、その指示を送信する警告情報送信部と、を有する飛び出し警告システムである。
【００１６】
本発明のように構成することによっても、上述の発明と同様に、対象者のテンションが高い場合に、対象者に対して警告を行うことが出来る。また単にテンションを判定して警告を行うのでは、例えば運動場などの安全な場所で遊んでいる場合にも警告が行われてしまい、かえって煩わしくなる。そこで、テンションが高いと判定した場合に、携帯端末の位置情報を参照することによって、交差点の付近や幹線道路などの予め指定された警告対象場所に位置するか否かを参照し、警告対象場所に位置する場合に初めて警告を行うようなシステム構成とした。これによって必要な場合に的確に警告を行うことが出来る。
【００１７】
また単に警告通知を行うのではなく、どのような動作を携帯端末で行ったら良いのかの指示を送ることによって、より細かいレベルでの警告が可能となる。これによって危険性が高い場合には高い音量と振動の発生を行い、危険性が低い場合には低い音量のみ、など対象者の状況に適した警告が可能となる。
【００１８】
請求項５の発明において、前記情報送信部は、前記携帯端末の位置情報とあわせて、前記携帯端末またはそれを所持する対象者を識別する識別情報を前記警告通知サーバに渡し、前記警告通知サーバは、更に、前記識別情報と対応づけて前記携帯端末の電話番号または電子メールアドレスのいずれかを含む連絡先を記録する個人情報記憶部を有しており、前記警告情報送信部は、前記警告通知を行う際に、前記情報受取部で受け取った識別情報に基づいて前記個人情報記憶部から連絡先を抽出し、前記連絡先に対して警告通知を行う、飛び出し警告システムである。
【００１９】
本発明のように構成することによって、電話、電子メールなど各対象者が予め登録した方法で警告通知を行うことが出来る。
【００２０】
請求項６の発明は、振動検出部と位置情報検出部とを備えた携帯端末と、前記携帯端末から受け取った情報に基づいて、前記携帯端末に対して警告通知を行う警告通知サーバとを有する飛び出し警告システムであって、前記携帯端末は、前記振動検出部で検出した振動の情報を記録する振動記録部と、前記振動記録部に記録した所定時間分の振動の情報を抽出し、その振動の情報に基づいて所定の指標値を算出し、所定の条件と比較するテンション判定部と、前記算出した指標値が前記所定の条件を満たした場合に、前記位置情報検出部で検出した前記携帯端末の位置情報と、前記携帯端末またはその所持者である対象者を識別する識別情報とを前記警告通知サーバに渡す情報送信部と、を有しており、前記警告通知サーバは、前記識別情報と対応づけて前記携帯端末の電話番号または電子メールアドレスのいずれかを含む連絡先を記録する個人情報記憶部と、前記携帯端末から前記位置情報と前記識別情報とを受け取る情報受取部と、前記位置情報が、予め定められた警告対象場所に位置するかを判定する位置判定部と、前記判定の結果、警告対象場所に前記携帯端末の位置情報が位置している場合には、前記受け取った識別情報に基づいて前記個人情報記憶部から前記対象者の連絡先を抽出し、前記抽出した連絡先を有する前記携帯端末に対して、架電または電子メールの送信により、警告通知を行う警告通知部と、を有する飛び出し警告システムである。
【００２１】
上述の請求項１の発明は、本発明のように構成することも出来る。これによって、対象者のテンションが高い場合に、対象者に対して警告を行うことが出来る。また単にテンションを判定して警告を行うのでは、例えば運動場などの安全な場所で遊んでいる場合にも警告が行われてしまい、かえって煩わしくなる。そこで、テンションが高いと判定した場合に、携帯端末の位置情報を参照することによって、交差点の付近や幹線道路などの予め指定された警告対象場所に位置するか否かを参照し、警告対象場所に位置する場合に初めて警告を行うようなシステム構成とした。これによって必要な場合に的確に警告を行うことが出来る。
【００２２】
請求項７の発明は、振動検出部と位置情報検出部とを備えた携帯端末と、前記携帯端末から受け取った情報に基づいて、前記携帯端末に対して警告通知を行う警告通知サーバとを有する飛び出し警告システムであって、前記携帯端末は、前記振動検出部で検出した振動の情報を記録する振動記録部と、前記振動記録部に記録した所定時間分の振動の情報を抽出し、その振動の情報に基づいて指標値またはテンションのパターンを算出し、所定の条件と比較するテンション判定部と、前記指標値またはテンションのパターンが所定の条件を満たした場合に、前記位置情報検出部で検出した前記携帯端末の位置情報と、前記指標値またはテンションのパターンと、前記携帯端末またはそれを所持する対象者を識別する識別情報とを前記警告通知サーバに渡す情報送信部と、前記警告通知サーバからの指示に対応した動作を前記携帯端末で行う警告情報受取部と、を有しており、前記警告通知サーバは、前記携帯端末から前記位置情報と、前記指標値またはテンションのパターンと、前記識別情報とを受け取る情報受取部と、前記位置情報が、予め定められた警告対象場所に位置するかを判定する位置判定部と、前記判定の結果、警告対象場所に前記携帯端末の位置情報が位置している場合には、前記指標値または対象者のテンションのパターンに対応する動作を携帯端末で行わせる為の指示を決定して、前記携帯端末に対して、その指示を送信する警告情報送信部と、を有する飛び出し警告システムである。
【００２３】
上述の請求項４の発明は、本発明のように構成することも出来る。これによって、対象者のテンションが高い場合に、対象者に対して警告を行うことが出来る。また単にテンションを判定して警告を行うのでは、例えば運動場などの安全な場所で遊んでいる場合にも警告が行われてしまい、かえって煩わしくなる。そこで、テンションが高いと判定した場合に、携帯端末の位置情報を参照することによって、交差点の付近や幹線道路などの予め指定された警告対象場所に位置するか否かを参照し、警告対象場所に位置する場合に初めて警告を行うようなシステム構成とした。これによって必要な場合に的確に警告を行うことが出来る。
【００２４】
また単に警告通知を行うのではなく、どのような動作を携帯端末で行ったら良いのかの指示を送ることによって、より細かいレベルでの警告が可能となる。これによって危険性が高い場合には高い音量と振動の発生を行い、危険性が低い場合には低い音量のみ、など対象者の状況に適した警告が可能となる。
【００２５】
請求項８の発明において、前記テンション判定部は、前記振動の情報として所定時間分の振動の回数、または振幅の情報を抽出し、その振動回数または振幅を用いて指標値を算出する、飛び出し警告システムである。
【００２６】
指標値を算出する際には、振動の情報として、振動回数や振幅を用いて算出することが好ましい。
【００２７】
請求項９の発明において、前記テンション判定部は、前記振動回数または振幅の平均値、分散、標準偏差のいずれか一以上により指標値を算出する、飛び出し警告システムである。
【００２８】
指標値を算出する方法としては様々なものがあるが、振動回数または振幅の平均値、分散、標準偏差などの統計手法を用いることが好適である。
【００２９】
請求項１０の発明において、前記警告通知サーバは、更に、車両に設置されたＧＰＳなどで検出された車両の位置情報を取得する車両位置情報受取部を有しており、前記警告通知部は、更に、前記取得した車両の位置情報が、前記携帯端末の位置情報から所定範囲内に位置している場合に、前記携帯端末に対して警告通知を行う、飛び出し警告システムである。
【００３０】
このように構成することによって、実際に車両が携帯端末を所持する対象者の近くに位置する場合に警告を行うことが出来る。これによって、より実効性の高い飛び出しに対する警告が行える。
【００３１】
請求項１１の発明は、携帯端末の位置情報が予め定められた警告対象場所に含まれている場合に前記携帯端末に対して警告通知を行う警告通知サーバと、情報の送受信が可能な携帯端末であって、前記携帯端末は、振動を検出する振動検出部と、前記検出した振動の情報を記録する振動記録部と、前記振動記録部に記録した振動に基づいて、前記振動記録部に記録した所定時間分の振動の情報を抽出し、その振動の情報に基づいて指標値を算出し、所定の条件と比較するテンション判定部と、前記算出した指標値が前記所定の条件を満たした場合に、前記位置情報検出部で検出した前記携帯端末の位置情報を前記警告通知サーバに渡す情報送信部と、を有しており、前記警告通知サーバからの警告通知を受け取ることによって、前記携帯端末の音を鳴らす、またはバイブレーションの振動を発生させることにより、前記対象者に対して危険性を再認識させる、携帯端末である。
【００３２】
上述の請求項１の発明や請求項６の発明における携帯端末は、本発明のように構成することで実現できる。
【００３３】
請求項１２の発明は、携帯端末から位置情報を受け取ることでその携帯端末に対して警告通知を行う警告通知サーバであって、前記警告通知サーバは、前記携帯端末またはそれを所持する対象者の識別情報と対応づけて前記携帯端末の電話番号または電子メールアドレスのいずれかを含む連絡先を記録する個人情報記憶部と、前記携帯端末から前記位置情報と前記識別情報とを受け取る情報受取部と、前記位置情報が、予め定められた警告対象場所に位置するかを判定する位置判定部と、前記判定の結果、警告対象場所に前記携帯端末の位置情報が位置している場合には、前記受け取った識別情報に基づいて前記個人情報記憶部から前記対象者の連絡先を抽出し、前記抽出した連絡先を有する前記携帯端末に対して、架電または電子メールの送信により、警告通知を行う警告通知部と、を有する警告通知サーバである。
【００３４】
上述の請求項１の発明や請求項６の発明における警告通知サーバは、本発明のように構成することで実現できる。
【００３５】
請求項１３の発明は、携帯端末の位置情報が予め定められた警告対象場所に含まれている場合に前記携帯端末に対して警告通知を行う警告通知サーバと、情報の送受信が可能な携帯端末であって、前記携帯端末は、振動を検出する振動検出部と、前記検出した振動の情報を記録する振動記録部と、前記振動記録部に記録した所定時間分の振動の情報を抽出し、その振動の情報に基づいて指標値またはテンションのパターンを算出し、所定の条件と比較するテンション判定部と、前記指標値またはテンションのパターンが前記所定の条件を満たした場合に、前記位置情報検出部で検出した前記携帯端末の位置情報と、前記指標値またはテンションのパターンとを前記警告通知サーバに渡す情報送信部と、前記警告通知サーバからの指示に適した動作を行う警告情報受取部と、を有しており、前記警告通知サーバからの警告通知を受け取ることによって、前記携帯端末で、前記警告通知に応じた音を鳴らす、またはバイブレーションの振動を発生させることで、前記対象者に対して危険性を再認識させる、携帯端末である。
【００３６】
上述の請求項４の発明や請求項７の発明における携帯端末は、本発明のように構成することで実現できる。
【００３７】
請求項１４の発明は、振動記録部を備えた携帯端末において振動に基づいて算出された指標値または対象者のテンションのパターンと、位置情報とを、前記携帯端末から受け取ることでその携帯端末に対して警告通知を行う警告通知サーバであって、前記警告通知サーバは、前記携帯端末から前記位置情報と、前記指標値またはテンションのパターンと、前記携帯端末または対象者を識別する識別情報とを受け取る情報受取部と、前記位置情報が、予め定められた警告対象場所に位置するかを判定する位置判定部と、前記判定の結果、警告対象場所に前記携帯端末の位置情報が位置している場合には、前記指標値または対象者のテンションのパターンに対応する動作を携帯端末で行わせる為の指示を決定して、前記携帯端末に対して、その指示を送信する警告情報送信部と、を有する警告通知サーバである。
【００３８】
上述の請求項４の発明や請求項７の発明における警告通知サーバは、本発明のように構成することで実現できる。
【００３９】
請求項１５の発明は、振動検出部と位置情報検出部とを有する携帯端末であって、前記振動記録部で検出した振動の情報を記録する振動記録部と、前記振動記録部に記録した所定時間分の振動の情報を抽出し、その振動の情報に基づいて指標値を算出し、所定の条件と比較するテンション判定部と、前記算出した指標値が前記所定の条件を満たした場合に、前記位置情報検出部で検出した位置情報が、前記携帯端末で予め記憶している警告対象場所に位置するかを判定する位置判定部と、前記判定の結果、警告対象場所に位置する場合には、前記携帯端末において音を発生させる、バイブレーションの振動を発生させる、表示装置を点滅させる、のうちいずれか一以上を行う、携帯端末である。
【００４０】
上述の発明について、警告通知サーバを設けずに、携帯端末で指標値の算出、位置情報の比較、警告通知を行うように構成しても良い。この場合には警告通知サーバが不要となるので、システム運営が簡略化される。
【発明の効果】
【００４１】
本発明によって、児童や生徒などはその所持する携帯端末で通知を受け取ることが出来る。特にテンションがあがっている状態での通知なので、その通知を受けることによって、危ないことを再認識することが出来、交通事故の発生の抑止に繋がる。
【発明を実施するための最良の形態】
【００４２】
本発明の飛び出し警告システム１のシステム概要の一例を図１のシステム構成図に示す。本発明の飛び出し警告システム１は、児童や生徒などの対象者が所持する携帯端末２と、携帯端末２からの情報を受け取り、その情報に基づいて所定の処理を実行して携帯端末２への警告通知を行う警告通知サーバ３とを有する。
【００４３】
本発明の警告通知サーバ３のハードウェア構成の概念図を図２に模式的に示す。このサーバには、プログラムの演算処理を実行するＣＰＵなどの演算装置２０と、情報を記憶するＲＡＭやハードディスクなどの記憶装置２１とを少なくとも有している。コンピュータ上で実現する各機能（各手段）は、その処理を実行する手段（プログラムやモジュールなど）が演算装置２０に読み込まれることでその処理が実行される。各機能は、記憶装置２１に記憶した情報をその処理において使用する場合には、該当する情報を当該記憶装置２１から読み出し、読み出した情報を適宜、演算装置２０における処理に用いる。当該コンピュータには、演算装置２０の処理結果や記憶装置２１に記憶する情報をインターネットやＬＡＮなどのネットワークを介して送受信する通信装置２４、キーボードやマウスやテンキーなどの入力装置２３、ディスプレイなどの表示装置２２を有していても良い。
【００４４】
本発明に於ける各手段は、その機能が論理的に区別されているのみであって、物理上あるいは事実上は同一の領域を為していても良い。
【００４５】
携帯端末２は、児童や生徒などの対象者が所持する携帯端末２であって、携帯電話、ＰＨＳ、ＰＤＡなどが含まれる。携帯端末２は振動検出部４、振動記録部５、テンション判定部６、位置情報検出部７、情報送信部８とを有する。
【００４６】
振動検出部４は、振動センサーなど携帯端末２の振動を検出する装置であって、振動があったことをその時刻と共に振動記録部５に記録する。好適には振幅（携帯端末２の揺れの幅であり、垂直方向、斜め方向など任意の方向の揺れが含まれる）を記録しても良い。なお振動検出部４は、振動センサーなどを他の機能の一部として備えているものであっても良い。例えば歩数計機能を備えた携帯端末２における、歩数計機能を実現する振動センサーなどを振動検出部４として用いることも出来る。
【００４７】
振動記録部５は、振動検出部４で記録した振動の情報をその時刻と共に記録する。振動記録部５に記録した振動は、所定時間経過後、削除されることが好ましい。図４に振動記録部５に記録された情報の一例を示す。
【００４８】
テンション判定部６は、携帯端末２の所持者である対象者のテンションを所定の方法で判定する。ここでテンションとは携帯端末２の所持者である対象者の行動の活発度合いを示す指標値であって、振動検出部４で検出した振動（振動記録部５に振幅も記録する場合にはその振幅も含まれる）を用いて判定される指標値をいう。この判定の際には、所定時間における振動回数、その平均値、分散、標準偏差などに基づいて算出した値を指標値として用いることが出来る。なお平均には相加平均、相乗平均、調和平均、加重平均などが含まれる。図５にテンション判定部６における判定を模式的に示す図の一例を示す。図５の判定では指標値として、所定時間（３０秒間）における振動回数の平均値を用いている。
【００４９】
位置情報検出部７は、携帯端末２に備えられたＧＰＳなどにより、その携帯端末２の位置情報を検出する。なお位置情報はＧＰＳの他にも、基地局との関係により検出したり、ＩＣタグなどが読み取られた位置などにより位置を検出したりする方法であっても良い。
【００５０】
情報送信部８は、テンション判定部６で対象者のテンションが高いと判定した場合（指標値が所定の条件を満たした場合）に、少なくとも、位置情報検出部７で検出した位置情報を警告通知サーバ３に渡す。この際に、位置情報と対応づけて、携帯端末２またはその所持者（児童や生徒などの対象者）を識別する識別情報を警告通知サーバ３に渡すと良い。この識別情報としては様々なものを用いることが出来るが、任意のＩＤや端末識別番号、電話番号、電子メールアドレスなどを用いることが出来る。
【００５１】
警告通知サーバ３は、情報受取部９と地図情報記憶部１０と位置判定部１１と警告通知部１２と個人情報記憶部１３とを有する。
【００５２】
情報受取部９は、少なくとも、携帯端末２からその位置情報と、携帯端末２またはその所持者（児童や生徒などの対象者）を識別する識別情報とを受け取る。
【００５３】
地図情報憶部は、所定地域の地図情報を記憶しており、好適には道路、交差点、危険場所などが予め登録されているナビゲーション用の地図情報であると良いが、それに限定されるものではない。
【００５４】
位置判定部１１は、情報受取部９で受け取った位置情報と、地図情報記憶部１０に記憶された情報とを用いて、情報受取部９で受け取った携帯端末２の位置情報が、地図情報においてどこに位置するのかを判定する。そしてその位置情報が予め設定された警告対象場所（交差点から半径何メートル以内、幹線道路沿い、交通事故多発場所など）に位置するかどうかを判定する。なお警告対象場所は時間帯、日付、曜日などに応じて設定可能となっていても良い。その場合には、位置判定部１１における判定の際に、時間帯、日付、曜日などに対応する警告対象場所で判定を行う。また、警告対象場所を予め設定しておくほか、道路や交差点の交通量を、それらに関する情報を提供するサーバから取得し、交通量が所定以上になった場合に、その道路沿いや交差点から半径何メートル以内を警告対象場所としてもよい。このように構成することによって、交通量を加味した警告対象場所の設定が可能となる。なお交通量に関する情報を提供するサーバとしては、財団法人道路交通情報通信システムセンターが提供する交通情報などにおける渋滞情報などで交通量を判定できる。例えば混雑時や渋滞時には交通量が多いと判定することも出来る。またそれ以外に一時間にどれだけの自動車が通過しているか、などの情報をそのような情報を提供するサーバから取得して、単位時間あたりの自動車の通過数に応じて交通量を判定しても良い。
【００５５】
警告通知部１２は、位置判定部１１における判定の結果、警告対象場所にその携帯端末２の位置情報が位置している場合には、その携帯端末２に対して所定の警告通知を行う。この警告通知を行う際には、情報受取部９で受け取った識別情報に基づいて、後述する個人情報記憶部１３に記憶した連絡先（電話番号、電子メールアドレス）を抽出し、それに対して通知を行う。例えば抽出した電話番号に対して架電を行い、音声による所定の警告メッセージ（「交差点に近づいているので気をつけてください」）を再生したり、抽出した電子メールアドレスに対して、文字による警告メッセージ（「交差点に近づいているので気をつけてください」）を含んだ電子メールを送信したりする。
【００５６】
なお識別情報として電話番号や電子メールアドレスを用いている場合には、個人情報記憶部１３を参照せずともそのままその情報を用いて警告通知を行っても良い。
【００５７】
個人情報記憶部１３は、携帯端末２から受け取る識別情報と対応づけて、当該携帯端末２の連絡先の情報を記憶する。連絡先としては電話番号、電子メールアドレスがある。なお識別情報として電話番号や電子メールアドレスを用いている場合には、個人情報記憶部１３はなくても良い。
【実施例１】
【００５８】
次に本発明の飛び出し警告システム１を用いた処理プロセスの一例を図３のフローチャート、図１のシステム構成図を用いて説明する。
【００５９】
本発明の飛び出し警告システム１における携帯端末２、警告通知サーバ３は所定の終了操作が行われるまで繰り返し反復されている（Ｓ１００）。また複数の操作が並行して行われている場合もある。
【００６０】
振動検出部４を備えた携帯端末２を所持した対象者が歩いたり、走ったりするなどして振動が発生するたびに、振動検出部４がその振動を検出して振動記録部５にそれを記録する（Ｓ１１０）。
【００６１】
そして所定のタイミング毎に（例えば１分ごと、５分ごと、１０分ごとなど）、テンション判定部６は、振動記録部５に記録した、所定時間分の振動（振幅も記録している場合にはそれも）の情報を抽出する。例えばそのタイミングの前の３０秒間分の振動の情報を抽出する。３０秒の間に発生した振動であることは、振動を記録した時刻などに基づいて判定できる。また所定時間としては任意の時間を設定可能である。
【００６２】
そして本実施例では、テンションの指標値として、所定時間内における振動回数の平均値を指標値とする場合を説明するので、所定時間内における各秒毎の振動の回数を判定する（Ｓ１２０）。例えば振動の記録が図４に示すような場合、３０秒から２９秒前までの振動回数は２回、２９秒から２８秒前までの振動回数は１回、２８秒から２７秒前までの振動回数は３回、２７秒から２６秒前までの振動回数は２回、２６秒から２５秒前までの振動回数は８回、２５秒から２４秒前までの振動回数は５回、などのように判定する。そして所定時間における振動回数を用いて、所定時間内における振動回数の平均値を算出する。
【００６３】
この指標値（振動回数の平均値）と予め定められた基準値とを比較することで、対象者のテンションを判定する（Ｓ１３０）。例えば平均値が基準値よりも高ければテンションが高いと判定し、平均値が基準値よりも高くなければテンションは高くないと判定する。
【００６４】
このように指標値が所定の条件を充足した場合に（ここでは振動回数の平均値が予め定められた基準値より高い場合）、対象者のテンションが高いと考えられるので、位置情報検出部７で検出している位置情報を、情報送信部８が警告通知サーバ３に渡す（Ｓ１４０）。この際に、位置情報と対応づけて、携帯端末２またはその所持者（児童や生徒などの対象者）を識別する識別情報と併せて警告通知サーバ３に渡すと良い。
【００６５】
警告通知サーバ３の情報受取部９は、携帯端末２からその位置情報と、携帯端末２またはその所持者（児童や生徒などの対象者）を識別する識別情報とを受け取る。そして、情報受取部９で受け取った位置情報と、地図情報記憶部１０に記憶した地図情報とを用いて、位置判定部１１が、情報受取部９で受け取った携帯端末２が地図上においてどの位置にあるかを判定し、そしてそれが予め定められた警告対象場所であるかを判定する（Ｓ１５０）。
【００６６】
警告対象場所は、予め児童や生徒などの対象者の保護者などが自由に設定することが出来、例えば交差点から半径何メートル以内、幹線道路沿い、交通事故多発場所などの情報をその保護者が利用するコンピュータ端末や携帯端末２から情報を入力することで設定できる。また全ての対象者が同じ警告対象場所であっても良い。個人毎の警告対象場所は個人情報記憶部１３に記憶しておき、携帯端末２から受け取った識別情報に基づいてその警告対象場所を抽出した上で判定を行う。
【００６７】
このようにして警告対象場所に携帯端末２の位置情報が位置すると位置判定部１１が判定した場合には、警告通知部１２が、情報受取部９で受け取った識別情報に基づいて、個人情報記憶部１３に記憶した電話番号や電子メールアドレスなどの連絡先を抽出して、所定の警告通知を行う（Ｓ１６０）。
【００６８】
例えば電話で警告を行う場合には、抽出した電話番号に対して架電を行い、着信後、所定の音声メッセージを再生する。また電子メールで警告を行う場合には、抽出した電子メールアドレスに対して所定の警告メッセージが含まれた電子メールを送信する。
【００６９】
このように架電や電子メールの送信などを行うことによって、対象者である児童や生徒が携帯端末２の着信に気づき、電話に出たり、電子メールを読んだりすることで、危険性を再認識することが出来る。これによって、対象者である児童や生徒の急な飛び出しの抑制に繋がることとなる。
【実施例２】
【００７０】
上述の実施例ではテンション判定部６の判定が、テンションが高いか高くないか、という基準のみであったが、より詳細な判定を行うことによって、警告通知の種類を変更可能なように構成しても良い。この場合、携帯端末２においては上述の実施例１における構成のほか、更に警告情報受取部１５を備えている。また警告通知サーバ３においては上述の実施例１における構成の警告通知部１２に代えて警告情報送信部１４を備えている。
【００７１】
警告通知サーバ３における警告情報送信部１４は、位置判定部１１における判定の結果、警告対象場所に携帯端末２の位置情報が位置する場合には、携帯端末２に対して所定の音量及び／またはバイブレーションによる振動を発生させる指示を渡す。この場合、個人情報記憶部１３は備えていなくても良い。なお警告情報送信部１４は、実施例１における警告通知部１２の機能を備えていても良い（この場合には個人情報記憶部１３は備えていることが良い）。
【００７２】
携帯端末２における警告情報受取部１５は、警告通知サーバ３の警告情報送信部１４から送信された所定の音量及び／またはバイブレーションによる振動を発生させる指示を受け取り、それに対応した音量で携帯端末２を鳴らしたり、バイブレーションによる振動を発生させたりする。
【００７３】
また携帯端末２におけるテンション判定部６は、上述のような判定のほか、例えば振動回数の平均値と標準偏差とを指標値として算出し、それらの各基準値と比較して、テンションの判定を行っても良い。この場合の概念図を模式的に図７に示す。即ち、振動回数の平均値と、振動回数に対する基準値とを比較する。また振動回数に基づく標準偏差と、それに対する基準値とを比較する。この各々の大小関係に基づいて、テンションのパターンを判定する。
【００７４】
情報送信部８は、テンション判定部６において判定したテンションのパターンが所定の場合、位置情報検出部７で検出している位置情報と、テンションのパターンの情報と、携帯端末２またはその所持者（児童や生徒などの対象者）を識別する識別情報と併せて警告通知サーバ３に渡すと良い。
【００７５】
本実施例の場合における飛び出し警告システム１の処理プロセスの一例を図８のフローチャート、図６のシステム構成図とを用いて説明する。
【００７６】
本発明の飛び出し警告システム１における携帯端末２、警告通知サーバ３は所定の終了操作が行われるまで繰り返し反復されている（Ｓ２００）。また複数の操作が並行して行われている場合もある。
【００７７】
振動検出部４を備えた携帯端末２を所持した対象者が歩いたり、走ったりするなどして振動が発生するたびに、振動検出部４がその振動を検出して振動記録部５にそれを記録する（Ｓ２１０）。
【００７８】
そして所定のタイミング毎に（例えば１分ごと、５分ごと、１０分ごとなど）、テンション判定部６は、振動記録部５に記録した、所定時間分の振動（振幅も記録している場合にはそれも）の情報を抽出する。例えば３０秒間分の振動の情報を抽出する。３０秒であることは、振動を記録した時刻などに基づいて判定できる。また所定時間としては任意の時間を設定可能である。
【００７９】
そして本実施例では、テンションの指標値として、所定時間内における振動回数の平均値と、その標準偏差とを指標値とする場合を説明する。まず所定時間内における各秒毎の振動の回数を判定する。例えば振動の記録が図４に示すような場合、３０秒から２９秒前までの振動回数は２回、２９秒から２８秒前までの振動回数は１回、２８秒から２７秒前までの振動回数は３回、２７秒から２６秒前までの振動回数は２回、２６秒から２５秒前までの振動回数は８回、２５秒から２４秒前までの振動回数は５回、などのように判定する。そして所定時間における振動回数を用いて、所定時間内における振動回数の平均値を算出する。また同様に、振動回数の標準偏差を算出する。これらを模式的に示すのが図９である。
【００８０】
このようにテンション判定部６が振動回数の平均値と標準偏差とを算出して、それらを各基準値と比較することによって、対象者のテンションのパターンを判定する（Ｓ２２０）。なお図７にこの判定を模式的に示すが、パターンの判定には如何なる指標値との対比によっても良い。例えば振動回数の平均値がその基準値より大きく、標準偏差がその基準値より高い場合にはパターン１として判定する。振動回数の平均値がその基準値より大きく、標準偏差がその基準値より小さい場合にはパターン２として判定する。振動回数の平均値がその基準値より小さく、標準偏差がその基準値より大きい場合にはパターン３として判定する。また振動回数の平均値がその基準値より小さく、標準偏差がその基準値より小さい場合にはパターン４として判定する。
【００８１】
このようにして判定した結果、所定の条件を充足していれば（例えば所定のパターンであるか、所定回数以上の振動回数であるか、など）（Ｓ２３０）、情報送信部８は、位置情報とそのパターンの情報と携帯端末２またはその所持者（児童や生徒などの対象者）を識別する識別情報とを警告通知サーバ３に渡す（Ｓ２４０）。なおパターンの判定を行わずに、振動回数と標準偏差などの指標値をそのまま警告通知サーバ３に渡すこととしても良い。
【００８２】
警告通知サーバ３の情報受取部９は、携帯端末２からその位置情報とそのパターンの情報、携帯端末２またはその所持者（児童や生徒などの対象者）を識別する識別情報とを受け取る。そして、情報受取部９で受け取った位置情報と、地図情報記憶部１０に記憶した地図情報とを用いて、位置判定部１１が、情報受取部９で受け取った携帯端末２が地図上においてどの位置にあるかを判定し、そしてそれが予め定められた警告対象場所であるかを判定する（Ｓ２５０）。
【００８３】
警告対象場所は、予め児童や生徒の保護者などが自由に設定することが出来、例えば交差点から半径何メートル以内、幹線道路沿い、交通事故多発場所などの情報をその保護者が利用するコンピュータ端末や携帯端末２から情報を入力することで設定できる。また全員が同じ警告対象場所であっても良い。この個人毎の警告対象場所は個人情報記憶部１３に記憶しておき、携帯端末２から受け取った識別情報に基づいてその警告対象場所を抽出した上で判定を行うこともできる。
【００８４】
このようにして警告対象場所に携帯端末２の位置情報が位置すると位置判定部１１が判定した場合には、警告情報送信部１４は、携帯端末２から受け取ったパターンの情報、または振動に基づく各指標値に基づいて、携帯端末２でどのような音量を鳴らすか、バイブレーションの振動を発生させるか、を決定し、携帯端末２に対してその情報を渡す。例えばパターン１の情報を受け取った場合には、最大音量を鳴らすこととバイブレーションで振動を発生させる指示を決定し、パターン２の情報を受け取った場合には、最大音量で鳴らす指示を決定し、パターン３の情報を受け取った場合には、最大音量を鳴らすこととバイブレーションで振動を発生させる指示を決定し、パターン４の情報を受け取った場合には、バイブレーションで振動を発生させる指示を決定する。
【００８５】
そしてこの決定に基づく指示を、警告情報送信部１４は携帯端末２に渡す。なおこのように携帯端末２に対する指示を決定すると同時に、予め登録されている保護者などに対して、電子メールや電話などによって連絡が行えても良い。その場合には、個人情報記憶部１３に予め保護者の連絡先の情報を記憶しておき、携帯端末２から受け取った識別情報に基づいて、保護者の連絡先を抽出して電話や電子メールで自動的に連絡を行えばよい。
【００８６】
警告情報受取部１５は、警告通知サーバ３から上記指示を受け取ると、それに対応する動作を行うことで、警告を通知する（Ｓ２６０）。例えば警告通知サーバ３から、最大音量を鳴らすこととバイブレーションで振動を発生させる指示を受け取った場合には、携帯端末２で最大音量で着信メロディなどを再生し、またそれと同時にバイブレーション機能で振動を発生させる。また最大音量で鳴らす指示を受け取った場合には、携帯端末２で最大音量で着信メロディなどを再生する。またバイブレーションで振動を発生させる指示を受け取った場合には、携帯端末２でバイブレーション機能で振動を発生させる。
【００８７】
警告情報受取部１５は、このように警告通知サーバ３から受け取った指示に基づいて携帯端末２を動作させると共に、その画面において所定のメッセージを表示するようにすると良い。メッセージの表示を行うことによって、対象者が危険性の再認識を行うと共に、通常の電話による着信、電子メールの受信などとは異なることを認識できるからである。
【００８８】
本実施例のように構成することで、対象者のテンションの状態にあわせた警告通知を行うことが出来る。
【実施例３】
【００８９】
上述の実施例１、実施例２において、警告通知サーバ３で車両の位置情報を取得しておき、位置判定部１１における判定の際に車両の位置情報も加味して判定を行っても良い。
【００９０】
即ち、警告通知サーバ３には更に車両位置情報受取部（図示せず）を設け、車両に設置されたＧＰＳなどで検出された車両の位置情報を取得する。そして位置判定部１１で判定を行う際に、警告対象場所にその携帯端末２の位置情報が位置していることに加えて、更に車両の位置情報がその携帯端末２の位置情報から所定範囲内に位置している場合のみに、警告通知部１２（または警告情報送信部１４）からの警告通知が行われるように構成しても良い。
【００９１】
例えば位置判定部１１で判定する場合に、まず携帯端末２の位置情報が所定の警告対象場所に位置しているか否かを判定し、警告対象場所に含まれる場合であって、更に、車両位置情報受取部で受け取っている車両の位置情報が、携帯端末２の位置情報の所定範囲内に位置するか否かを位置判定部１１で判定する。
【００９２】
そして両方の条件を満たした場合に、実施例１の警告通知部１２や実施例２の警告情報送信部１４からの警告通知が行われるように構成しても良い。
【００９３】
またその他には、位置判定部１１で判定を行う際に、警告対象場所にその携帯端末２の位置情報が位置していることに加えて、更に車両の位置情報がその携帯端末２の位置情報から所定範囲内に位置している場合には、通常の場合の警告とは異なる強い警告を行うように警告通知部１２（または警告情報送信部１４）からの警告通知が行われるように構成しても良い。
【００９４】
例えば位置判定部１１で判定する場合に、まず携帯端末２の位置情報が所定の警告対象場所に位置しているか否かを判定し、警告対象場所に含まれる場合であって、更に、車両位置情報受取部で受け取っている車両の位置情報が、携帯端末２の位置情報の所定範囲内に位置するか否かを位置判定部１１で判定する。
【００９５】
そして両方の条件を満たした場合に、実施例１の警告通知部１２や実施例２の警告情報送信部１４からの警告通知とは異なる強い警告、例えば通常の警告が最大音量以外の場合には、最大音量をならし、バイブレーション機能で振動を発生させる指示を決定したり、更に画面を点滅させたりする指示を決定しても良い。また着信メロディの音の種類を通常とは異なる着信メロディ、例えば機械音などの耳障りの悪い音に変更して最大音量で鳴らす決定をしたりする。このようにすることで、通常の着信メロディが鳴るよりも、児童や生徒などの対象者は携帯端末２に気づきやすくなり、事故の抑止に繋がる。
【実施例４】
【００９６】
実施例１乃至実施例３では、対象者のテンションを判定する方法として振動検出部４での振動の記録を用いたが、それ以外にも対象者の心拍数や脈拍数、呼吸数などの生体情報を検出し、それを携帯端末２で記録して、同様に判定することによってそのテンションを判定しても良い。
【実施例５】
【００９７】
実施例１乃至実施例４では、携帯端末２から位置情報などを受け取ることによって警告通知サーバ３で位置の判定処理を行う構成としたが、警告通知サーバ３を用いずに、全ての処理を携帯端末２で行っても良い。
【００９８】
この場合、携帯端末２には、実施例１乃至実施例４における携帯端末２と警告通知サーバ３の各機能が必要に応じて備えられていることとなる。即ち、携帯端末２の振動検出部４で検出した振動の情報や生体情報検出部で検出した生体情報に基づいて、携帯端末２の所持者のテンションをテンション判定部６で判定し（テンションの指標値を算出し）、その指標値が所定の条件を満たした場合には、携帯端末２の位置情報検出部７で検出した位置情報が、携帯端末２に予め記憶する警告対象場所に位置するか、を位置判定部１１で判定する。そして警告対象場所に位置する場合には、警告通知部１２が当該携帯端末２で音を鳴らしたり、バイブレーション機能で振動を発生させたり、画面やＬＥＤなどを点滅させたりして、携帯端末２の所持者に対して警告を通知する。
【産業上の利用可能性】
【００９９】
本発明によって、児童や生徒などはその所持する携帯端末２で通知を受け取ることが出来る。特にテンションがあがっている状態での通知なので、その通知を受けることによって、危ないことを再認識することが出来、交通事故の発生の抑止に繋がる。
【図面の簡単な説明】
【０１００】
【図１】本発明のシステム構成の一例を示すシステム構成図である。
【図２】本発明の警告通知サーバのハードウェア構成の一例を示す図である。
【図３】実施例１の処理プロセスの一例を示すフローチャートである。
【図４】振動記録部を模式的に示す図である。
【図５】テンション判定部における判定の一例を模式的に示す図である。
【図６】本発明のシステム構成の他の一例を示すシステム構成図である。
【図７】指標値として振動回数の平均値と標準偏差を用いた場合の判定の一例を模式的に示す図である。
【図８】実施例２の処理プロセスの一例を示すフローチャートである。
【図９】テンション判定部における判定の一例を模式的に示す図である。
【符号の説明】
【０１０１】
１：飛び出し警告システム
２：携帯端末
３：警告通知サーバ
４：振動検出部
５：振動記録部
６：テンション判定部
７：位置情報検出部
８：情報送信部
９：情報受取部
１０：地図情報記憶部
１１：位置判定部
１２：警告通知部
１３：個人情報記憶部
１４：警告情報送信部
１５：警告情報受取部
２０：演算装置
２１：記憶装置
２２：表示装置
２３：入力装置
２４：通信装置
【図１】
2008059068.tif 000003
【図２】
2008059068.tif 000004
【図３】
2008059068.tif 000005
【図４】
2008059068.tif 000006
【図５】
2008059068.tif 000007
【図６】
2008059068.tif 000008
【図７】
2008059068.tif 000009
【図８】
2008059068.tif 000010
【図９】
2008059068.tif 000011